(57)【要約】【課題】クリップの操作を片指でも操作できる操作性に優れた額縁とする。【解決手段】四本の枠片１による四角枠の裏面に絵画を収容し、クリップにより絵画を枠片に固定する。枠片１の裏面には、その長手方向に二条のスライド突条１３、１４を形成し、クリップのクリップ取付片３０を取付ける。クリップ取付片３０に、先端が枠片１の内縁から直交する方向に進退可能にクリップ片４０を取付ける。クリップ片４０が進出すると、その先端が枠片１の内縁から進出して絵画Ｃの背面を押圧固定する。すなわち、クリップ片４０の進退は、スライド突条１３、１４に対して直交する方向に行なわれる。【選択図】　図６
2004008478.tif 000002
【特許請求の範囲】
【請求項１】
四本の枠片により四角枠とし、該枠片の内側裏面に絵画などの収容物の周縁に当接する当接面部を形成し、該当接面部に当接して収容される前記収容物を該枠片に固定するクリップを設けた額縁において、
前記枠片の裏面には、その長手方向に二条のスライド突条が形成され、
前記クリップは、該二条のスライド突条間に取付けられるクリップ取付片と、該クリップ取付片に前記枠片の内縁から直交する方向にその先端が進退可能に取付けられたクリップ片を有し、該クリップ片が前記収容物の背面を押圧固定することを特徴とする額縁。
【請求項２】
クリップ取付片には、クリップ片が収容物の裏面に進出して押圧する進出位置または後退して収容物の押圧を解除する後退位置にロックするロック機構が設けられていることを特徴とする請求項１記載の額縁。
【請求項３】
スライド突条にはクリップ取付片を取付ける複数のクリップ取付部が設けられていることを特徴とする請求項１、２記載の額縁。
【発明の詳細な説明】
【０００１】
【発明の属する技術分野】
この発明は、額縁、特に収容物の背面を押圧して固定するクリップに関する。
【０００２】
【従来の技術】
従来から額縁に収容した絵画、色紙、書などの背面を押圧して固定するクリップには、種々のものが提案されている。最も広く使用されているクリップは額縁の枠片に硬質な小片を回転可能に釘で打ち付け、これを回転することによって、押圧・開放を行わせている。これらを改良した発明が特開平９−３１３３１７号公報や特開２０００−８８０５号公報などにも開示されている。これらの額縁では、枠片の長手方向にレール状の取付部が形成され、クリップの基部をこのレール内に取付ける構成としている。
【０００３】
【発明が解決しようとする課題】
しかし、これら従来のクリップは、いずれも枠片に取付けたクリップを回転して押圧・開放を行わせるものであり、例えば収容物を取り付ける際に、各枠片に取付けられたクリップを順次回転して押圧させている間に、先に押圧状態に保持したクリップが回転して、開放状態に戻ってしまうことがあった。また、特開平９−３１３３１７号公報や特開２０００−８８０５号公報に開示されたクリップでは、レールに取付けられており、クリップを片指で回転操作するとレールに沿って逃げやすい構成とされている。このため、片手でクリップの基部を固定し、他方の指でクリップの先端を回転操作する必要があるなど、その操作性に課題があった。
【０００４】
【課題を解決するための手段】
そこで、請求項１の発明では、四本の枠片により四角枠とし、枠片の内側裏面に絵画などの収容物の周縁に当接する当接面部を形成し、当接面部に当接して収容される収容物を枠片に固定するクリップを設けた額縁において、枠片の裏面には、その長手方向に二条のスライド突条が形成され、クリップは、二条のスライド突条間に取付けられるクリップ取付片と、クリップ取付片に枠片の内縁から直交する方向にその先端が進退可能に取付けられたクリップ片を有し、クリップ片が収容物の背面を押圧固定する構成としている。
これにより、四本の枠片により四角枠とされた枠内の裏面に絵画などの収容物がその周縁を当接面部に当接して収容される。枠片の背面に形成された二条のスライド突条間にクリップ取付片が取付けられていて、このクリップ取付片に取付けられたクリップ片を枠片の内縁から直交する方向に進出すると、クリップ片の先端が枠片の内縁から進出して収容物の背面を押圧固定する。すなわち、クリップ片の操作が、スライド突条に対して直交する方向に行われ、クリップ取付片がスライド突条間をスライドしない。
【０００５】
請求項２の発明は、クリップ取付片には、クリップ片が収容物の裏面に進出して押圧する進出位置または後退して収容物の押圧を解除する後退位置にロックするロック機構が設けられている。
これにより、枠片の周囲に設けられた複数のクリップ片を、順次進出または後退位置に操作すれば、確実に進出または後退位置に保持される。
【０００６】
請求項３の発明では、スライド突条には複数の位置にクリップ取付片を取付けるクリップ取付部が設けられている。
これにより、厚みを相違する収容物を収容する際には、複数のクリップ取付部から選択して、クリップ取付片を取付けることができる。
【０００７】
【発明の効果】
以上説明したように、請求項１の発明では、枠片の裏面には、その長手方向に二条のスライド突条が形成され、クリップは、二条のスライド突条間に取付けられるクリップ取付片と、クリップ取付片に枠片の内縁から直交する方向にその先端が進退可能に取付けられたクリップ片を有し、クリップ片が収容物の背面を押圧固定する構成とすることによって、クリップの操作を片指でも操作できる操作性に優れた額縁とすることができる。
【０００８】
【発明の実施の形態】
以下、この発明の一実施例を図１〜図９を参照しながら詳細に説明する。
図１、図２は、この実施例の額縁の上部を示し、引き抜き加工または押出加工により得られた長尺の型材をそれぞれ所定の寸法に切断して成形された四本の枠片１によりフレームが形成されている。この四本の枠片１を同寸の上下枠１ａ、１ｂ（図面上１ｂは図示しない。）とこれより長く切断された左右枠１ｃ、１ｄの各端部が連結片２により連結されて方形枠とされている（図３参照）。また、枠片１の中間の何カ所かに複数のクリップ３が設けられて、収容物である絵画（カンバス）を固定可能としている。そして、フレームの各コーナーにはコーナカバー５が取付けられている。
【０００９】
この枠片１は、図４に示すように、その断面形状は中央が緩やかに膨出する前面板部１０の内端に背面側にコ字状に折り曲がる内縁片１１が形成され、また、外端に背面側にコ字状に折り曲がる外縁片１２が形成されている。前面板部１０の背面中央には、二条のスライド突条（外スライド突条１３、内スライド突条１４）がそれぞれ突設されている。この平行に延出された外スライド突条１３と内スライド突条１４との中間位置に、補強板１５が差し渡されて枠片１の剛性が高められている。
【００１０】
外スライド突条１３には、補強板１５よりも先端側に、所定の間隔を空けて４本の第１外小突条〜第４外小突条１３ａ〜１３ｄが内スライド突条１４に向けて突出形成されている。また、前述した補強板１５は途中で屈曲しており、外スライド突条１３の第１外小突条１３ａに対向する内スライド突条１４の側面の位置に連結している。また、内スライド突条１４には、第１外小突条〜第４外小突条１３ａ〜１３ｄに対向する側面に三本の第２内小突条〜第４内小突条１４ｂ〜１４ｄが外スライド突条１３に向けて突出形成されている。これにより第１外小突条１３ａと補強板１５、第２外小突条１３ｂと第２内小突条１４ｂ、第３外小突条１３ｃと第３内小突条１４ｃおよび第４外小突条１３ｄと第４内小突条１４ｄとがそれぞれ対向位置に形成されている。
【００１１】
そして、第１外小突条１３ａと補強板１５、第２外小突条１３ｂと第２内小突条１４ｂとにより区分された空間にＬ字状の連結片２が挿入可能とされている。また、第２外小突条１３ｂと第２内小突条１４ｂ、第３外小突条１３ｃと第３内小突条１４ｃとにより囲まれる空間に後述するクリップ取付片３０の取付片３２が挿入取付可能とされた第一のクリップ取付部が形成されている。また、第３外小突条１３ｃと第３内小突条１４ｃ、第４外小突条１３ｄと第４内小突条１４ｄとにより囲まれる空間にもクリップ取付片３０の取付片３２が挿入取付可能とされていて、第二のクリップ取付部が形成されている。この第一、第二の複数のクリップ取付部により、収容するカンバスの厚みに対応して何れかにクリップ取付片３０を選択して取付可能とされている。従って、この実施例においては、厚みを相違する２種類のカンバスに対して、構成部材を変更することなく、クリップ取付片の取付位置を変更するだけで、対応することができる。
【００１２】
このような断面構成とされた四本の枠片１は、図３、図５に示すようにそれぞれの端部における第１外小突条１３ａと補強板１５、第２外小突条１３ｂと第２内小突条１４ｂとにより囲まれる空間にＬ字状の連結片２の一辺が挿入されて、ねじ１６により取付固定されている。
【００１３】
従って、長尺の型材を切断して、各枠片１を所定の長さに加工する際に、各端部を斜めに切断するなど、精密な加工を施す必要がなく、材料を有効に活用することができる。
【００１４】
また、クリップ３は、図６に示すように、枠片１にクリップ取付片３０が取付けられ、このクリップ取付片３０にクリップ片４０が枠片１の内側に進退可能に取付けられて構成されている。
【００１５】
クリップ取付片３０は、図６、図７に示すように、取付板３１から下方へ二本の取付片３２が延出され、この先端に外方に突出するスライド突起３２ａが形成されている。このスライド突起３２ａが枠片１の第２外小突条１３ｂと第２内小突条１４ｂ、第３外小突条１３ｃと第３内小突条１４ｃとの間に挿入されて、クリップ取付片３０を枠片１にスライド可能に取付けられている。
【００１６】
また、取付板３１上は、立設された周壁３３により囲まれていて、枠片１に対して内側方向になる位置に、ロ字状に開口する受入口３４が形成されて、この受入口３４の下面がガイド面３４ａとされている。また、取付板３１上には、その上面をガイド面３４ａに連続するスライド面３５とする二条の支持凸条３６が間隔をおいて形成されている。そして、スライド面３５上には、二つのロック凹部３７（止め位置凹部３７ａ、開放位置凹部３７ｂ）が設けられている。
【００１７】
クリップ片４０は、ベース板４１の左右端から差込方向にストッパ４２が突出して設けられていて、その先端に傾斜面からなるストッパ部４２ａが設けられていて、ストッパ部４２ａが受入口３４の内側左右の周壁３３に当接することによって、抜け落ちが防止されている。また、クリップ取付片３０に設けた二条の支持凸条３６に対応する部位に、差込方向にスライド片４３が突出して設けられていて、この底面に、ロック凹部３７内に係合する半球状のロック突起４４が突出して設けられている。このロック突起４４が二つのロック凹部３７（止め位置凹部３７ａ、開放位置凹部３７ｂ）の何れかに係合して、カンバスＣを押圧して保持する保持位置または開放して取出し可能な開放位置に固定される。また、ベース板４１の中央上面には、操作突起４５が設けられている。
【００１８】
これにより、クリップ片４０のロック突起４４が、クリップ取付片３０に設けたロック凹部３７（止め位置凹部３７ａ、開放位置凹部３７ｂ）の何れかに係合して、カンバスＣを止める保持位置または開放して取出し可能な開放位置に配置される。そして、操作突起４５に指をかけて枠片１に対して直交する方向にスライド操作することにより、クリップ片４０を止め位置または開放位置に移動させることができる。
【００１９】
コーナカバー５は、連結されて直交する２本の枠片１のコーナーを覆うＬ字状に形成され、またその断面は枠片１の前面板部１０の曲線に沿って被覆するように、それぞれの辺の中央が緩やかに膨出している。そして、コーナカバー５の各辺の両側には、図５に示すように、コ字状に折り曲がる内縁片１１と外縁片１２を覆う内側袖片５１と外側袖片５２が連続して形成され、さらに内側袖片５１と外側袖片５２の先端から枠片１を包み込むように内側に突出する係止片５３、５４が形成されて、枠片１に固定されている。このコーナカバー５によって、額縁の各コーナーが被覆されて、見栄えのよい額縁とされる。
【００２０】
さて、このように構成されたこの実施の形態の作用について説明する。
最初に、長尺の型材が同寸の上下枠１ａ、１ｂとこれより長い左右枠１ｃ、１ｄの所定の寸法に切断された四本の枠片１片が準備される。この際、連結片２に形成したねじ孔２１に対応する部位にねじ切りされた取付孔が形成されている。ここで、クリップ３を第１のクリップ取付部に取付ける場合で説明すると、この枠片１のそれぞれの端面から適宜数のクリップ３を取付ける。クリップ取付片３０のスライド突起３２を枠片１の第２外小突条１３ｂと第２内小突条１４ｂ、第３外小突条１３ｃと第３内小突条１４ｃとの間に挿入し、枠片１の適宜位置に配置される。
【００２１】
次に、上下枠１ａ、１ｂと左右枠１ｃ、１ｄの各第１外小突条１３ａと補強板１５、第２外小突条１３ｂと第２内小突条１４ｂとにより囲まれる空間にＬ字状の連結片２を挿入し、連結片２に形成されたねじ孔２１に取付ねじ１６を螺合してフレームが形成される。次に各コーナーにコーナカバー５を取付けて額縁が完成する。
【００２２】
次に、額縁内にカンバスＣを収容する際には、図８に示すように、クリップ片４０のロック突起４４が開放位置凹部３７ｂに係合した開放位置に保持しておく。そして、枠片１の内縁片１１内にカンバスＣを収容し、カンバスＣの周縁がこの内縁片１１に当接した状態に配置する。続いて、図６に示すように、クリップ片４０の操作突起４５に指を引っかけてスライドし、ロック突起４４を止め位置凹部３７ａに係合させる。これにより、クリップ片４０のベース板４１の先端がカンバスＣの背面を押圧する。この操作を全てのクリップ片４０について行い、カンバスＣがフレームに固定される。すなわち、クリップ片４０をスライドさせるワンタッチ操作により、カンバスＣを額縁に固定でき、また、クリップ片４０のロック突起４４が止め位置凹部３７ａに保持されて、意に反して開放位置に戻ることが防止されて、確実にカンバスを固定することができる。
【００２３】
なお、上述の説明では、クリップ取付片３０を枠片１の第２外小突条１３ｂと第２内小突条１４ｂ、第３外小突条１３ｃと第３内小突条１４ｃとの間に形成される第１のクリップ取付部に取付けた例を示した。この例に示したカンバスＣより厚いカンバスを収容する際には、図９に示すように、クリップ取付片３０を枠片１の第３外小突条１３ｃと第３内小突条１４ｃ、第４外小突条１３ｄと第４内小突条１４ｄとの間に形成される第２のクリップ取付部に取付けることができる。これにより、この実施例の額縁では、厚さを相違する２種類のカンバスＣに対して、構成部材を変更することなく、クリップ取付片の取付位置を変更するだけで、対応することができる。
【図面の簡単な説明】
【図１】額縁の上部の正面図であって、１つのコーナカバー５を分離して示す。
【図２】額縁の上部の背面図であって、１つのコーナカバー５を分離して示す。
【図３】枠片の取付けを説明する分離斜視図
【図４】枠片の断面図
【図５】連結片の取付状態を示す断面図
【図６】クリップの取付状態を示す断面図であって、カンバスを押圧している状態を示す。
【図７】クリップの分離斜視図
【図８】クリップの取付状態を示す断面図であって、カンバスを開放している状態を示す。
【図９】厚みの相違するカンバスを取付けた状態を示す断面図
【符号の説明】
Ｃ…カンバス
１…枠片
２…連結片
３…クリップ
１３…外スライド突条
１４…内スライド突条
３０…クリップ取付片
３２ａ…スライド突起
３４…受入口
３７ａ…止め位置凹部
３７ｂ…開放位置凹部
４０…クリップ片
４４…ロック突起
４５…操作突起
【図１】
2004008478.tif 000003
【図２】
2004008478.tif 000004
【図３】
2004008478.tif 000005
【図４】
2004008478.tif 000006
【図５】
2004008478.tif 000007
【図６】
2004008478.tif 000008
【図７】
2004008478.tif 000009
【図８】
2004008478.tif 000010
【図９】
2004008478.tif 000011